(57)【特許請求の範囲】
【請求項１】
偏心量調整部材を移動することにより偏心量を変化させてストローク長を調整する可変ストローク機構を有し、調整されたストローク長で可動部材を往復動する往復動機械において、
可変ストローク機構を内包するケース側と螺合して上記偏心量調整部材を移動させるリードスクリューを設け、
該リードスクリューには、軸方向への相互位置関係が可変であってリードスクリューと一体的に回転する連繋軸を接続し、
該連繋軸の回転に応じて数値表示するカウンタを設け、
前記リードスクリューの一端にナットを固定し、このナットが嵌合可能な断面形状を有する中空部を前記連繋軸内に軸方向に形成し、連繋軸の回転を、ナットを介してリードスクリューに伝達して、リードスクリューを軸方向に移動させるようにし、
連繋軸に設けたストローク調整用外部入力部材の回転により連繋軸とリードスクリューを介して偏心量調整部材を移動させてストローク長を調整するとともに、上記連繋軸の回転によりカウンタの表示部に調整ストローク長を表示するように構成したことを特徴とするストローク長表示機構。
【請求項２】
連繋軸に、回転伝達機構を介して機械式カウンタの入力軸を接続し、
ストローク調整用外部入力部材の回転により連繋軸とリードスクリューを介して偏心量調整部材を移動させてストローク長を調整するとともに、上記連繋軸の回転により前記入力軸を回転させてカウンタの表示部に調整ストローク長を表示するように構成したことを特徴とする請求項１に記載のストローク長表示機構。
【請求項３】
前記カウンタを、被検出部が設けられて回転可能に配設されたディスク部材、該ディスク部材の回転に伴う被検出部の移動軌跡上に配置されて該被検出部を検出可能な検出器、該検出器からの検出信号が入力される演算部、及び、該演算部からの表示制御信号に基づいて数値表示を行う表示部からなる電子式カウンタによって構成し、
ストローク調整用外部入力部材の回転により連繋軸とリードスクリューを介して偏心量調整部材を移動させてストローク長を調整するとともに、上記連繋軸の回転によってディスク部材を回転させ、被検出部の検出に伴って検出器から出力された検出信号に基づいて演算部に調整ストローク長を演算させ、演算した調整ストローク長を表示部で表示させるように構成したことを特徴とする請求項１に記載のストローク長表示機構。
【請求項４】
連繋軸に、回転伝達機構を介してディスク部材とともに回転する支軸を接続したことを特徴とする請求項３に記載のストローク長表示機構。
【請求項５】
前記回転伝達機構を歯車で構成し、連繋軸に設ける歯車と連繋軸とを一体成型したことを特徴とする請求項２又は４に記載のストローク長表示機構。
【請求項６】
前記カウンタは、表示を零に戻す零復帰操作部を備え、
少なくともこの零復帰操作部をカバーにより覆って、運転中に上記零点復帰操作部を外部から操作不能としたことを特徴とする請求項１から５の何れかに記載のストローク長表示機構。
【発明の詳細な説明】
【０００１】
【発明の属する技術分野】
本発明は、プランジャーのストローク長を調整することにより吐出量を調整可能な制御容量ポンプ等の往復動機械におけるストローク長表示機構に関する。
【０００２】
【従来の技術】
従来の往復動機械、例えば、制御容量ポンプにおけるストローク長表示機構としては、バーニア式とダイヤル式とがある。
【０００３】
バーニア式のストローク長表示機構は、ストローク長を調整する際に回転する操作ハンドル（或はキャップ）の外周部分に操作ハンドルの回転位置を読み取れる目盛を付けるとともに、操作ハンドル近傍のケースに操作ハンドルの進退を読み取れる目盛を付け、ケース側の目盛により上位の数値を読み取り、操作ハンドル側の目盛により下位の数値を読み取る構成である。
【０００４】
一方、ダイヤル式のストローク長表示機構は、操作ハンドルの内部に、操作ハンドルの回転に拘らず独立して同じ姿勢を維持する状態、すなわちウエイトの付勢により付勢された状態で埋め込まれ、操作ハンドルの回転をウオームギアで減速して入力し、この減速された回転に基づいて指針を回動し、指針の指した目盛の数値を読み取る構成である。
【０００５】
【発明が解決しようとする課題】
しかしながら、従来のバーニア式ストローク長表示機構は、操作ハンドルがストローク長を調整する際に上下に移動、すなわち進退するので、使い勝手に問題が残り、また、目盛が読み取り難いので読み間違いを生じ易い。また、目盛が外部に露出したままなので、長期間経過すると目盛が薄れて一層読み取り難くなってしまう。さらに、クランク機構の潤滑油のシールが構造上極めて困難であるため、モータを竪方向に取り付けることができず、このため大きな設置スペースを必要とした。
【０００６】
また、ダイヤル式ストローク長表示機構は、ウオームギアを使用するために、製造が面倒であり安価に提供することができない。また、操作ハンドルの内部に埋め込まれているため、操作ハンドルと共周りを防止するためのウエイトを設けることが必須であり、構造が複雑になってしまう。そして、ウエイトにより付勢しても、操作ハンドルを回転すると、目盛が振子のように揺れてしまうので、読み取り難い。
【０００７】
本発明は上記した事情に鑑み提案されたもので、その目的は、構造が簡単で、ストローク長を読み取り易いストローク長表示機構を提供しようとするものである。
【０００８】
【課題を解決するための手段】
本発明は上記目的を達成するために提案されたもので、請求項１に記載のものは、偏心量調整部材を移動することにより偏心量を変化させてストローク長を調整する可変ストローク機構を有し、調整されたストローク長で可動部材を往復動する往復動機械において、
可変ストローク機構を内包するケース側と螺合して上記偏心量調整部材を移動させるリードスクリューを設け、
該リードスクリューには、軸方向への相互位置関係が可変であってリードスクリューと一体的に回転する連繋軸を接続し、
該連繋軸の回転に応じて数値表示するカウンタを設け、
前記リードスクリューの一端にナットを固定し、このナットが嵌合可能な断面形状を有する中空部を前記連繋軸内に軸方向に形成し、連繋軸の回転を、ナットを介してリードスクリューに伝達して、リードスクリューを軸方向に移動させるようにし、
連繋軸に設けたストローク調整用外部入力部材の回転により連繋軸とリードスクリューを介して偏心量調整部材を移動させてストローク長を調整するとともに、上記連繋軸の回転によりカウンタの表示部に調整ストローク長を表示するように構成したことを特徴とするストローク長表示機構である。
【０００９】
請求項２に記載のものは、連繋軸に、回転伝達機構を介して機械式カウンタの入力軸を接続し、
ストローク調整用外部入力部材の回転により連繋軸とリードスクリューを介して偏心量調整部材を移動させてストローク長を調整するとともに、上記連繋軸の回転により前記入力軸を回転させてカウンタの表示部に調整ストローク長を表示するように構成したことを特徴とする請求項１に記載のストローク長表示機構である。
【００１０】
請求項３に記載のものは、前記カウンタを、被検出部が設けられて回転可能に配設されたディスク部材、該ディスク部材の回転に伴う被検出部の移動軌跡上に配置されて該被検出部を検出可能な検出器、該検出器からの検出信号が入力される演算部、及び、該演算部からの表示制御信号に基づいて数値表示を行う表示部からなる電子式カウンタによって構成し、
ストローク調整用外部入力部材の回転により連繋軸とリードスクリューを介して偏心量調整部材を移動させてストローク長を調整するとともに、上記連繋軸の回転によってディスク部材を回転させ、被検出部の検出に伴って検出器から出力された検出信号に基づいて演算部に調整ストローク長を演算させ、演算した調整ストローク長を表示部で表示させるように構成したことを特徴とする請求項１に記載のストローク長表示機構である。
【００１１】
請求項４に記載のものは、連繋軸に、回転伝達機構を介してディスク部材とともに回転する支軸を接続したことを特徴とする請求項３に記載のストローク長表示機構である。
【００１２】
請求項５に記載のものは、前記回転伝達機構を歯車で構成し、連繋軸に設ける歯車と連繋軸とを一体成型したことを特徴とする請求項２又は４に記載のストローク長表示機構である。
【００１４】
請求項６に記載のものは、前記カウンタは、表示を零に戻す零復帰操作部を備え、
少なくともこの零復帰操作部をカバーにより覆って、運転中に上記零点復帰操作部を外部から操作不能としたことを特徴とする請求項１から５のいずれかに記載のストローク長表示機構である。
【００１５】
【発明の実施の形態】
以下、本発明の実施の形態を図面に基づいて説明する。
図面に示す往復動機械は、化学プラント（例えば、パイロットプラント）等に使用される制御容量ポンプ１であり、モータ２を竪方向に設けることにより設置面積の省スペース化を図るとともにストローク長調節部３を横向きとし、このストローク長調節部３に設けるストローク長表示部４の表示を読み易くしてある。なお、この制御容量ポンプ１は、モータ２を横向きにして設置することもでき、設置スペースの状況に応じて設置方向を適宜に選択することができる。
【００１６】
制御容量ポンプ１は、図１に示すように、モータ２の回転運動を往復運動に変換するクランク機構部５と、クランク機構部５により変換された往復運動により可動部材としてのプランジャ６を往復運動して液体を圧送するポンプシリンダ部と、クランク機構部５において回転運動を往復運動に変換する際のストローク長を調整するストローク長調節部３とから概略構成されている。なお、図１は、制御容量ポンプ１を下方から見た概略構成透視図であり、モータ２の出力軸を下向きに取り付けて側方に突出するポンプシリンダ部の一部（シリンダ等）を省略し、可動部材としてのプランジャ６あるいはピストンのロッドをプランジャアダプタ７とクロスヘッド８，クロスヘッドピン９を介してコネクティングロッド１０に接続した状態を示している。
【００１７】
クランク機構部５は、本実施形態ではケースであるクランクケース１１の上面にモータ２を下向きに取り付け、モータ２の出力軸にはカップリング１２を介して接続したウオームシャフト１３をクランクケース１１内に竪方向に配置して両端を軸受１４，１４で支持し、このウオームシャフト１３と直交する方向にクランク機構を設ける。
【００１８】
クランク機構は、図３に示すように、軸の両側面に傾斜突条部１５，１５を斜めに形成して軸方向に移動可能としたＸ型クランク軸１６（本発明における偏心量調整部材に相当。）と、このＸ型クランク軸１６の両側面に当接して、傾斜突条部１５が丁度嵌合する斜めの溝１８を切欠貫通開口１９の内面に形成した円形板状のカム１７と、クランク軸１６を同心上に貫通可能な中空部２２を形成するとともに切欠貫通開口１９と嵌合してカム１７を径方向に移動可能であるが軸方向への移動を阻止する切欠部２３を形成した切欠中空軸（ホローシャフト）２４と、カム１７を一端の大端部穴に回転自在に嵌合して他端の小端部穴にクロスヘッド８に取り付けられるクロスヘッドピン９を嵌合するコネクティングロッド１０とから概略構成されている。
【００１９】
このクランク機構では、Ｘ型クランク軸１６を軸方向に移動すると、斜めの傾斜突条部１５によりカム１７が軸方向に対して直交する方向（径方向）に移動して偏心量を変化させることができる。すなわち、カム１７がホローシャフト２４の切欠部２３に嵌合して両者が一体的に回転する状態でホローシャフト２４の中心線からカム１７の中心線までの距離が変化する。そして、ホローシャフト２４の同軸上にキーで取り付けたウオームホイール２０に前記ウオームシャフト１３の螺旋ギア部を噛合してあるので、モータ２の回転力によりホローシャフト２４を回転することができ、ホローシャフト２４がカム１７及びクランク軸１６と一体的に回転すると、回転するカム１７の偏心量に応じてコネクティングロッド１０を介して、クロスヘッド８及びプランジャ６を往復運動させることができる。
【００２０】
ストローク長調節部３は、クランク軸１６の延長線上に設けられており、クランク軸１６の端部に、遊転カップリング２５を介してリードスクリュー２６の一端を接続し、リードスクリュー２６に形成してある雄ねじ部をクランクケース１１に形成してある雌ねじ部内に螺合し、クランクケース１１から突出したリードスクリュー２６の他端にナット２７を固定し、ナット２７を介して接続した連繋軸２８の端部に、ストローク調整用外部入力部材としての操作ハンドル２９を取り付けて概略構成している。なお、遊転カップリング２５は、クランク軸１６とリードスクリュー２６との間を、軸方向の移動力は伝達するが回転力を伝達しない状態で接続する継手である。したがって、クランク軸１６とリードスクリュー２６は、軸方向には一体的に移動するが、回転に関しては両者独立している。
なお、本実施形態では、リードスクリュー２６の雄ねじ部に螺合する雌ねじ部をクランクケース１１に形成したが、この雌ねじ部はクランク軸１６に対して移動しない部分、具体的にはクランクケース１１をはじめとするケース側であればよい。
【００２１】
連繋軸２８は、操作ハンドル２９側の端部寄りに歯車３０を一体成型したプラスチック製の中空軸であり、操作ハンドル２９とは反対側の端面に中空部３１が開口している。この中空部３１は、嵌合したナット２７が軸方向に移動可能であって、ナット２７と一体的に回転するように、断面形状がナット２７の回転を拘束する形状に成形されている。本実施形態では、図４に示すように、ナット２７が六角形なので、中空部３１はこれに対応した六角形の断面形状に成形されている。
【００２２】
したがって、操作ハンドル２９を操作して連繋軸２８を回転すると、ナット２７を介してリードスクリュー２６を回転することができ、この回転によりリードスクリュー２６がクランクケース１１の雌ねじ部との螺合により軸方向に移動する。すなわち、連繋軸２８は、リードスクリュー２６に対して、軸方向への相互位置関係が可変であってリードスクリュー２６と一体的に回転する軸である。そして、操作ハンドル２９を回転してリードスクリュー２６を移動しても、連繋軸２８の中空部３１とナット２７がリードスクリュー２６の移動を吸収するので、操作ハンドル２９が軸方向に移動することはない。
【００２３】
なお、連繋軸２８とリードスクリュー２６との接続構造は、軸方向への相互位置関係が可変であってリードスクリュー２６と一体的に回転する構成であればどのような構成でもよく、例えば四角形にしてもよいし、スプライン構成、ピンと嵌合長孔でもよい。
【００２４】
遊転カップリング２５は、前記したように、クランク軸１６と連繋軸２８との間の回転力の伝達を遮断した状態で両軸を接続する継手であり、内部のベアリング３２により回転の伝達を遮断して、軸方向への移動力だけを伝達する。したがって、クランク軸１６が回転してもリードスクリュー２６が共に回転することを防止できる。また、リードスクリュー２６を軸方向に移動すると、Ｘ型クランク軸１６もリードスクリュー２６と共に軸方向に移動する。そして、クランク軸１６が軸方向に移動すると、クランク軸１６の傾斜突条部１５とカム１７との嵌合位置が変化し、これによりカム１７が移動して偏心量、すなわちストローク長を調節することができる。ストローク長を調節したならば、ロックネジ３３を締め込んで先端をリードスクリュー２６の側面に圧接し、これによりリードスクリュー２６の回転を止めてロックする。
【００２５】
なお、傾斜突条部１５の中央にカム１７の溝１８が嵌合するとカム１７の中心線とクランク軸１６の中心線とが一致して偏心量が零となるので、クランク軸１６を回転してもプランジャ６は往復動しないが、この状態からクランク軸１６を軸方向に移動すると、カム１７の溝１８に嵌合する傾斜突条部１５の位置が変化してカム１７の中心線がクランク軸１６の中心線から外れて偏心する。そして、この偏心量の２倍の長さがストローク長となり、溝１８が傾斜突条部１５の端部に嵌合した状態が最大ストローク長となる。
【００２６】
次に、ストローク長表示部４について説明する。
本実施形態では、図２及び図５に示すように、機械式カウンタ４０をその入力軸４１を連繋軸２８に対して平行に並べた状態で設け、該カウンタ４０の入力軸４１と連繋軸２８とを歯車３０，３４，４２により接続する。
機械式カウンタ４０は、外周面に「０」から「９」までの数字を記した４つのドラム４３を備えているので４桁の数字で表示することができ、入力軸４１が回転して最下位のドラム４３が１回転すると、その上位のドラム４３が３６度回転（１／１０回転）して＋１した数字を表示し、これを繰り返すことにより各桁の数字を表示部に可視表示するもので、図６に示すように、本実施形態では、カバー４４の開口部に取り付けた表示窓プレート４５でドラム４３を覆い、この表示窓プレート４５を透して数字を表示する。そのため、長期間経過してもドラム４３上の数字が薄れたり消えたりすることを防止できる。
【００２７】
そして、本実施形態では、連繋軸２８との間を歯車３０，３４，４２で接続しているので、これらの歯車３０，３４，４２の減速比を適宜に設定することにより、ストローク長を、最小から最大までの間の割合としてパーセント単位などで表示したり、あるいは実際のストローク長さを、例えばミリメートル単位で表示することができる。なお、図面では３つの歯車３０，３４，４２により接続したので、リードスクリュー２６のねじとの関係で、操作ハンドル２９の回転方向とドラム４３上の数字の回転方向を一致させることができ、操作ハンドル２９を操作した時に自然な感覚で操作できる。そして、歯車の段数は適宜選択することができる。また、入力軸４１の軸方向も、例えば傘歯車などの使用により適宜変更が可能である。
【００２８】
この様に、機械式カウンタ４０によりストローク長を数値で表示すると、読み間違えを減少することができる。
また、本実施形態では、連繋軸２８が回転するだけで軸方向には移動しないので、クランク機構の潤滑油を封止するためのシールが従来のバーニア式に比較して容易である。具体的には、図５に示すように、連繋軸２８の端部にＯリング等のシール材４７，４７を設けることにより潤滑油がカウンタ側に漏れ出すことを確実に防止することができる。したがって、モータ２を竪方向に取り付けて、横方向に突出したストローク調整部３にカウンタ４０を取り付けて表示窓４５を上向きに取り付けることもできるので、作業者から見やすい。また、機械式カウンタ４０は構造が簡易であるので、故障し難く耐久性に優れ、しかも安価である。
【００２９】
また、組立工場での組立作業、あるいはメンテナンス作業において、実際のストローク長とカウンタ４０の表示を合わせる零点調整作業が必要となるが、本実施形態では、カバー４４に取り付けた表示窓プレート４５を取り外して、連繋軸２８とカウンタ４０とを接続したままストローク長調節部３を操作して実際のストローク長を零にして、この状態で、表示窓プレート４５の裏側の開口部からカウンタ４０の零復帰操作部（リセットボタン）４６を操作する。この操作によって、カウンタ４０に表示されるドラム４３の数値を一斉に「０」とすることができる。したがって、カウンタ４０を取り外すなど連繋軸２８とカウンタ４０との接続を遮断する面倒な作業を行なうことなく、零点調整作業を極めて簡単に行なうことができる。そして、この零点調整作業が終了したならば、表示窓プレート４５をカバー４４の開口部に取り付けて零復帰操作部４６を覆い、外部から零復帰操作部４６への操作が行なえないようにする。
【００３０】
そして、本実施形態では、表示窓プレート４５の内面に「％」や「mm」等の文字や記号などを記しているので、この記号等が長期間経過しても薄れたり消えたりすることがない。
【００３１】
ところで、上記実施形態におけるカウンタ４０は、連繋軸２８の回転を入力する機械式を用いたが、この機械式カウンタ４０に代えて電子式カウンタを用いてもよい。以下、このように構成した他の実施形態について説明する。
【００３２】
図７に示すように、本実施形態におけるカウンタ５０は、ディスク部材５１と、検出器５２と、演算部５３と、表示部５４とからなる電子式カウンタである。
【００３３】
ディスク部材５１と検出器５２は、所謂ロータリーエンコーダーを構成する。即ち、ディスク部材５１は、周縁部に被検出部の一種としてのスリット（透光部）を設けた遮光性の円盤状部材であり、その中心には機械式カウンタ４０の入力軸４１と同様に構成された支軸５５が板厚方向に貫通して取り付けられ、この支軸５５を中心にして支軸５５とともに回転する。一方、検出器５２は、スリットを検出可能なフォトインタラプタであり、ディスク部材５１の回転に伴うスリットの移動軌跡上に該スリットを検出可能な状態で配置される。従って、支軸５５とともにディスク部材５１が回転すると該ディスク部材５１の回転に伴ってスリットが検出器５２を通過し、スリットの通過に伴って検出器５２からはパルス状の検出信号が出力される。そして、支軸５５は、上記した実施形態と同様に、回転伝達機構の一種である歯車３０，３４，４２を介して連繋軸２８と接続されているので連繋軸２８の回転に伴って回転する。
【００３４】
なお、本実施形態のように、ディスク部材５１を支軸５５に設けると、ディスク部材５１の直径を小さく設けることができカウンタ５０の小型化に寄与する。また、本実施形態では、歯車３０，３４，４２の減速比設定により、連繋軸２８の回転を増速して支軸５５に伝えている。つまり、支軸５５の回転量が連繋軸２８の回転量よりも大きくなるようにしている。これにより、ディスク部材５１の回転量を大きくすることができ、上記したエンコーダーの分解能を高めることができる。さらに、これらのディスク部材５１と検出器５２とに関し、ディスク部材５１の回転に応じて検出器５２から検出信号が出力される構成であればよく、例えば、検出器５２を磁気センサによって構成するとともにディスク部材５１に磁気発生源としての磁石（被検出部の一種に相当。）を設け、磁気センサを磁石の移動軌跡上に配置してディスク部材５１の回転により変化する磁界の強さを磁気センサで検出させるものでもよい。また、検出器５２をマイクロスイッチによって構成するとともにディスク部材５１に突起部（被検出部の一種に相当。）を形成し、マイクロスイッチを突起部の移動軌跡上に配置してディスク部材５１の回転によりマイクロスイッチと突起部とを接触させてマイクロスイッチから検出信号を出力させるものでもよい。
【００３５】
演算部５３は、ＣＰＵを備えた所謂ワンチップマイクロコンピュータによって構成され、検出器５２、零復帰操作部５６（リセットスイッチ）、及び、表示部５４と電気的に接続されている。この演算部５３は、検出器５２からの検出信号に基づいて調整ストローク長を演算し、この演算結果を表示させるための表示制御信号を表示部５４に出力し、零復帰操作部５６からのリセット信号によって調整ストローク長を「０」にリセットする。表示部５４は、数字を表示可能な電気的表示素子、例えば、７セグメント表示器や液晶表示器によって構成され、演算部５３からの表示制御信号に基づいて調整ストローク長を表示する。本実施形態では、電気的表示素子を組み込んだパネル状部材によって表示部５４を構成してあり、カバー４４の開口部を外側から塞ぐとともにカバー４４から着脱可能に、若しくはヒンジ機構等によってカバー４４に対して開閉可能に取り付けられる。つまり、この表示部５４は、カバー４４の開口部を閉塞したり開放したりする蓋部材としても機能し、開口部の閉塞状態にあっては零復帰操作部５６を外部から操作不能とする。
【００３６】
なお、この表示部５４に関し、調整ストローク長を表示可能であれば、任意の表示素子を採用することができるが、７セグメントＬＥＤ、ドットマトリクス式のＬＥＤ、バックライト付きの液晶表示器、プラズマディスプレイ等の発光式表示素子が好ましい。これは、暗所での作業時においても調整ストローク長を容易に読み取ることができるからである。
【００３７】
そして、本実施形態でも、ストローク長調節部３の操作ハンドル２９を回転させることにより連繋軸２８が回転し、リードスクリュー２６及びＸ型クランク軸１６が軸方向に移動してカム１７が偏心するので、ストローク長を調節できる。このとき、電子式カウンタ５０では、操作ハンドル２９の回転によって歯車３０が回転し、この歯車３０の回転が歯車３４，４２によって支軸５５へ伝達され、この支軸５５の回転によってディスク部材５１が回転し、検出器５２が検出信号を出力する。この検出器５２からの検出信号に基づいて演算部５３はストローク長を演算して演算結果に応じた表示制御信号を表示部５４に出力し、表示制御信号を受信した表示部５４は演算されたストローク長を表示する。
このため、本実施形態でも、ストローク長を調整しても操作ハンドル２９や表示部５４がリードスクリュー２６の軸方向に移動することがなく、ストローク長を読み取り易い。また、表示部５４がストローク長を数字表示するので、読み違いを減少することができるし、大型の電気的表示素子を用いることができるので、遠方からであってもストローク長を容易に視認させることができる。
【００３８】
そして、実際のストローク長と表示部５４の表示を合わせる零点調整作業に関し、本実施形態では、カバー４４に取り付けたパネル状の表示部５４を取り外すなどしてカバー４４の開口部から零復帰操作部５６を露出させ、連繋軸２８と支軸５５とを接続したままストローク長調節部３を操作して実際のストローク長を零にし、この状態で、零復帰操作部５６を操作して表示部５４に表示されるストローク長を「０」にする。したがって、零点調整作業を極めて簡単に行なうことができる。この零点調整作業が終了したならば、表示部５４をカバー４４の開口部に取り付けて、外部から零復帰操作部５６への操作が行なえないようにする。
【００３９】
なお、この電子式カウンタ５０では、ストローク長を表示部５４で表示させているが、このストローク長は演算部５３による演算結果であるのでストローク長のデータを制御容量ポンプ１の外部に出力することもできる。この場合、外部出力端子を演算部５３に電気的に接続し、この外部出力端子にコネクタ等の電気配線を接続する。このように、ストローク長のデータを外部出力可能に構成すると、制御容量ポンプ１の遠隔操作に有利であり使い勝手の向上が図れる。また、制御容量ポンプ１の運転記録の自動化にも便利である。
【００４０】
ところで、前記実施形態は本発明の一例であり、特許請求の範囲に記載した範囲内で適宜設計変更することができる。例えば、ストローク調整用外部入力部材は、操作ハンドル２９に限定されるものではなく、サーボモータ（図示せず）の出力軸に接続するカップリングでもよい。この様にすると、サーボモータの駆動により連繋軸２８を回転することができるので、遠隔操作が可能である。また、リードスクリュー２６と連繋軸２８とを接続する回転伝達機構は、前記歯車３０，４２に限定されるものではなく、スプロケットとチェーン、段付プーリーと段付ベルトなどでもよい。
【００４１】
また、電子式カウンタ５０を用いた上記実施形態では、回転伝達機構を介して連繋軸２８と支軸５５とを接続して支軸５５側に設けているが、この構成に限定されるものではなく、連繋軸２８に直接設けてもよい。例えば、連繋軸２８の周面に、軸方向とは直交する径方向に向けてディスク部材５１を突設してもよい。さらに、上記表示部５４を、液晶表示器やＬＥＤ表示器等のドットでの表示が可能なドットマトリクス表示器によって構成し、ストローク長を、数値と棒グラフなどの図形の複数態様で表示するように構成しても良い。
【００４２】
また、本発明における往復動機械は、制御容量ポンプ１に限定されるものではなく、偏心量調整部材を移動することにより偏心量を変化させてストローク長を調整する可変ストローク機構を有し、調整されたストローク長で可動部材を往復動する機械であれば、どのような構成でもよい。例えば、往復動コンプレッサーでもよい。偏心量調整部材は、傾斜突条部１５を有する前記Ｘ型クランク軸１６に限定されるものではなく、例えばクランク軸を斜めにした従来のＮ型クランク軸と偏心カムを組み合せたものでもよい。
【００４３】
【発明の効果】
以上説明したように本発明によれば、以下の効果を奏する。
請求項１の発明によれば、可変ストローク機構を内包するケース側と螺合して上記偏心量調整部材を移動させるリードスクリューを設け、該リードスクリューには、軸方向への相互位置関係が可変であってリードスクリューと一体的に回転する連繋軸を接続し、該連繋軸の回転に応じて数値表示するカウンタを設け、連繋軸に設けたストローク調整用外部入力部材の回転により連繋軸とリードスクリューを介して偏心量調整部材を移動させてストローク長を調整するとともに、上記連繋軸の回転によりカウンタの表示部に調整ストローク長を表示するので、ストローク長を調整してもストローク調整用外部入力部材が軸方向に移動することがなく、ストローク長を読み取り易い。したがって、読み違いを減少することができる。また、構成が簡単なので、製造やメンテナンスが容易である。
さらに、前記リードスクリューの一端にナットを固定し、このナットが嵌合可能な断面形状を有する中空部を前記連繋軸内に軸方向に形成し、連繋軸の回転を、ナットを介してリードスクリューに伝達して、リードスクリューを軸方向の移動させるようにしたので、例えば、操作ハンドルを回転してリードスクリューを移動しても、連繋軸の中空部とナットがリードスクリューの移動を吸収することができる。したがって、操作ハンドルが軸方向に移動することがないため操作し易く、また、リードスクリューへのサーボユニットの増設も容易である。
【００４４】
請求項２の発明によれば、カウンタが機械式なので、構造が簡単であって回転伝達機構の伝達比、回転方向、表示方向を容易に変更することができる。したがって、往復動する部分が設計変更されても、伝達比の変更だけで済ませることができ、ストローク長表示機構の設計変更の簡素化を図ることができる。
【００４５】
請求項３の発明によれば、カウンタが、被検出部が設けられて回転可能に配設されたディスク部材、該ディスク部材の回転に伴う被検出部の移動軌跡上に配置されて該被検出部を検出可能な検出器、該検出器からの検出信号が入力される演算部、及び、該演算部からの表示制御信号に基づいて数値表示を行う表示部からなる電子式なので、ストローク長を電気的な信号で取り出すことができる。このため、ストローク長の表示の自由度が高いし、制御や運転管理の自動化にも容易に対応することができる。
【００４６】
請求項４の発明によれば、連繋軸に、回転伝達機構を介してディスク部材とともに回転する支軸を接続したので、ディスク部材を小型に設けることができ、表示機構の小型化を図ることができる。
【００４７】
請求項５の発明によれば、前記回転伝達機構を歯車で構成し、連繋軸に設ける歯車と連繋軸とを一体成型したので、部品点数を減少することができ、一層構造の簡素化を推進することができ、安価に供給することができる。また、カウンタの向きの自由度を高めることができ、これにより見やすい位置にカウンタを配置することができる。
【００４９】
請求項６の発明によれば、前記カウンタは、表示を零に戻す零復帰操作部を備え、この零復帰操作部をカバーにより覆って、上記零復帰操作部をカバーの外部から操作不能としたので、通常の状態で零復帰操作部が操作されることを防止できる。そして、カウンタに零復帰操作部を設けたので、組立工場での組立作業、あるいはメンテナンス作業において、実際のストローク長と表示機構の表示を合わせる作業において、連繋軸とカウンタとを接続したまま実際のストローク長を零にして、この状態で表示窓プレートを取り外すなどしてから、カウンタの零復帰操作部を操作するだけで、カウンタの数値を「０」とすることができる。したがって、カウンタの「０」表示を調整する際に、その都度、カウンタを取り外すなど連繋軸とカウンタとの接続を遮断する作業を行なうことなく、調整作業を極めて簡単に行なうことができる。そして、この調整作業が終了したならば、表示窓プレートを取り付けるなどして零復帰操作部への操作が行なえないようにすることができるので、稼働中に表示が狂わされることを有効に防止することができる。
減を図ることができる。
【００５０】
また、カウンタを機械式カウンタによって構成し、このカウンタも零復帰操作部とともにカバーで覆った場合には、カウンタの文字が長期間経過しても消えたり薄れたりすることを防止できる。そして、このカバーの一部をカウンタの表示窓プレートによって構成した場合には、文字や記号等を表示窓プレートの内面に記すことができ、これらの文字や記号等が消えたり薄れたりする不具合を防止することもできる。
【図面の簡単な説明】
【図１】往復動機械の一実施形態である制御容量ポンプを下方から見た概略構成透視図である。
【図２】可変ストローク機構及びストローク長表示機構の断面図である。
【図３】可変ストローク機構の主要部の斜視図である。
【図４】（Ａ）はナットの平面図、（Ｂ）はナットの側面図である。
【図５】機械式カウンタを用いたストローク長表示機構の断面図である。
【図６】機械式カウンタを用いたストローク長表示機構の正面図である。
【図７】（Ａ）は電子式カウンタを用いたストローク長表示機構の断面図、（Ｂ）は電子式カウンタを用いたストローク長表示機構の電気的構成を説明するブロック図である。
【符号の説明】
１  制御容量ポンプ
２  モータ
３  ストローク調整部
４  ストローク長表示部
５  クランク機構部
６  プランジャ
７  プランジャアダプタ
８  クロスヘッド
９  クロスヘッドピン
１０  コネクティングロッド
１１  クランクケース
１２  カップリング
１３  ウオームシャフト
１４  軸受
１５  傾斜突条部
１６  クランク軸
１７  カム
１８  溝
１９  切欠貫通開口
２０  ウオームホイール
２２  中空部
２３  切欠部
２４  切欠中空軸（ホローシャフト）
２５  遊転カップリング
２６  リードスクリュー
２７  ナット
２８  連繋軸
２９  操作ハンドル
３０，３４，４２  歯車
３１  中空部
３２  ベアリング
３３  ロックネジ
４０  機械式カウンタ
４１  入力軸
４３  ドラム
４４  カバー
４５  表示窓プレート
４６，５６  零復帰操作部
４７  封止材
５０  電子式カウンタ
５１  ディスク部材
５２  検出器
５３  演算部
５４  表示部
５５  支軸
【図１】
0004363773.tif 000002
【図２】
0004363773.tif 000003
【図３】
0004363773.tif 000004
【図４】
0004363773.tif 000005
【図５】
0004363773.tif 000006
【図６】
0004363773.tif 000007
【図７】
0004363773.tif 000008